(57)【要約】      （修正有）【課題】多数の人工呼吸器を備えた人工呼吸器からのデータの伝達のための装置および方法を提供する。【解決手段】人工呼吸器の使用時間および／または治療の質を表すデータは暗号化され、データチャンネル１４を介して、リレーステーション１３に送信され、リレーステーションのデータは暗号化され、転送インターフェース２８を介してリモートサイト３０に伝達される。伝達はリレーステーション（Ｐｕｓｈ）からまたはリモートサイト（Ｐｕｌｌ）から引き起こされる。【選択図】図２
2018158100.tif 000002
【特許請求の範囲】
【請求項１】
リレーステーションへのそれぞれ少なくとも１つのインターフェースおよび前記リレーステーションへのそれぞれ１つのデータチャンネルを有する多数の人工呼吸器を備えた人工呼吸器からデータを伝達するための方法であり、前記人工呼吸器の使用時間および／または治療の質を表すデータ用の前記データチャンネルがデバイスから前記リレーステーションに単方向であることを特徴とし、前記データチャンネルは少なくとも２つの少なくとも部分的にデータ転送のための冗長技術を補助し、前記人工呼吸器のデータは暗号化され、暗号化されて前記リレーステーションに送信され、前記リレーステーションは前記人工呼吸器のデータを解読し、人工呼吸器のおよび／またはリレーステーションの認証が例えばリレーステーションが寄託されたコードまたはシリアル番号を認識することにより寄託されたコードまたは前記人工呼吸器のシリアル番号により行われ、前記リレーステーションで受信されたデータのメモリでの保存が少なくともデータを前記転送インターフェースで取得するために十分な時間内で行われ、前記リレーステーションで前記人工呼吸器および／またはそのデータの特定のユーザまたはユーザグループへの割り当てが行われることにより、データが特別にデバイスおよび／またはそのデータが割り当てられたユーザまたはユーザグループに転送のために提供され、前記リレーステーションはリモートサイトへのデータの仲介のための転送インターフェースを備え、前記リレーステーションのデータは暗号化され、その後前記転送インターフェースを介して前記リモートサイトに伝達され、前記リモートサイトはデータを解読し、前記リモートサイトは伝達の前に認証され、認証によりデータまたはユーザまたはユーザグループは選択的に伝達され、（前記リモートサイトはコードまたはシリアル番号を寄託されたデータまたは暗号で認識し）、伝達は前記リレーステーション（Ｐｕｓｈ）からまたは前記リモートサイト（Ｐｕｌｌ）から引き起こされる方法。
【請求項２】
リレーステーション（１３）へのそれぞれ少なくとも１つのインターフェース（８、１８）および前記リレーステーションへのそれぞれ１つのデータチャンネル（１４）を有する多数の人工呼吸器（１）を備えた人工呼吸器からデータを伝達するための装置であり、前記人工呼吸器の使用時間および／または治療の質を表すデータ用の前記データチャンネル（１４）が前記デバイス（１）から前記リレーステーション（１３）に単方向であることを特徴とし、前記データチャンネル（１４）が少なくとも２つの少なくとも部分的にデータ転送のための冗長技術（１５）を補助し、前記人工呼吸器のデータは暗号化され、暗号化されて前記リレーステーションに送信され、前記リレーステーション（１３）は前記人工呼吸器のデータを解読し、人工呼吸器（１）のおよび／またはリレーステーション（１３）の認証（１７）が行われ、前記リレーステーション（１３）で受信されたデータのメモリ（１９）での保存が少なくともデータを前記転送インターフェース（２８）で取得するために十分な時間内で行われ、前記リレーステーションで前記人工呼吸器および／またはそのデータの特定のユーザまたはユーザグループへの割り当て（２０）が行われるため、データが特別にデバイスおよび／またはそのデータが割り当てられるユーザまたはユーザグループに転送のために提供され、前記リレーステーション（１３）はリモートサイト（３０）へのデータの仲介のための転送インターフェース（２８）を備え、前記リレーステーション（１３）のデータは暗号化（２１）され、その後前記転送インターフェース（２８）を介して前記リモートサイト（３０）に伝達され、前記リモートサイト（３０）はデータを解読し、前記リモートサイト（３０）は伝達の前に認証され（２２）、認証によりデータは（ユーザ／ユーザグループに）選択的に伝達され、伝達は前記リレーステーション（Ｐｕｓｈ）からまたは前記リモートサイト（Ｐｕｌｌ／問い合わせ）から引き起こされる装置。
【請求項３】
データ転送のための前記２つの少なくとも部分的な冗長技術（１５）が異なるメーカーのＲＦＩＤチップを有する２Ｇ、３Ｇ、４Ｇ、５Ｇモバイル通信、ＷＩＦＩ＋インターネット、Ｂｌｕｅｔｏｏｔｈ＋インターネット、メモリカード＋インターネット、Ｌｏｒａ、Ｓｉｇｆｏｘであることをも特徴とする先行する請求項の少なくとも一項に記載の装置。
【請求項４】
前記リレーステーション（１３）が現実のまたは仮想のコンピューターであることを特徴とする先行する請求項の少なくとも一項に記載の装置。
【請求項５】
前記リレーステーション（１３）でデータの暗号化された（中間）保存（１９）がなされることを特徴とする先行する請求項の少なくとも一項に記載の装置。
【請求項６】
前記リレーステーション（１３）が少なくとも例えばトークンの生成である前記転送インターフェースのためのコンフィギュレーションの可能性を持ったユーザアクセス（２５）を有することを特徴とする先行する請求項の少なくとも一項に記載の装置。
【請求項７】
前記ユーザアクセス（２５）を介してデバイス（１）のリモートサイト（３０）への割り当てが設定されることを特徴とする先行する請求項の少なくとも一項に記載の装置。
【請求項８】
前記ユーザアクセス（２５）を介して前記デバイス（１）からのデータの加工、処理、評価、診断、保管または消去が行われることを特徴とする先行する請求項の少なくとも一項に記載の装置。
【請求項９】
前記ユーザアクセス（２５）を介して例えば治療圧力および治療モードの選択、加湿設定および快適さ設定の調整などの前記デバイス（１）のリモート設定が行われることを特徴とする先行する請求項の少なくとも一項に記載の装置。
【請求項１０】
前記ユーザアクセス（２５）を介して前記デバイスのリモートサービス、例えばエラーメッセージの評価、遠隔からのＦＷ更新などが行われることを特徴とする先行する請求項の少なくとも一項に記載の装置。
【請求項１１】
前記ユーザアクセス（２５）を介して例えば２要素認証によってユーザ認証が行われることを特徴とする先行する請求項の少なくとも一項に記載の装置。
【請求項１２】
前記リレーステーション（１３）が前記デバイス（１）に受信されたデータを前記転送インターフェース（２８）で取得した後に前記メモリ（１９）から消去することを特徴とする先行する請求項の少なくとも一項に記載の装置。
【請求項１３】
前記リレーステーション（１３）が前記デバイス（１）に受信されたデータをユーザまたはユーザグループにとって調節可能な一定期間後消去することを特徴とする先行する請求項の少なくとも一項に記載の装置。
【請求項１４】
前記リレーステーション（１３）が受信されたデータを例えば前記転送インターフェース（２８）を介して受信された消去コマンド後消去することを特徴とする先行する請求項の少なくとも一項に記載の装置。
【請求項１５】
前記リレーステーション（１３）が、例えば言語、ビデオまたは、携帯端末への患者のユーザ入力のための、患者へのデータチャンネル（２４）（例えばスマートフォンでのアンケート）を備えることを特徴とする先行する請求項の少なくとも一項に記載の装置。
【請求項１６】
前記転送インターフェース（２８）がＨＴＴＰまたはＨＴＴＰＳをベースとしたインターネットのようなコンピューターネットワークを介してデータを交換し、離れたコンピューター（３０）の機能を呼び出すことを特徴とする先行する請求項の少なくとも一項に記載の装置。
【請求項１７】
前記転送インターフェース（２８）が、それを介して転送インターフェースが明確に同定可能である統一資源識別子（ＵＲＩ）並びに、どのように前記転送インターフェース（２８）と対話をするかを定義する（例えばＷＳＤＬのようなＸＭＬアーティファクトとして）機械で読み込むことが可能な形式のインターフェースの説明を有することを特徴とする先行する請求項の少なくとも一項に記載の装置。
【請求項１８】
前記転送インターフェース（２８）とのコミュニケーションがＨＴＴＰのようなインターネット文脈からのプロトコルを介して行われ、ＸＭＬまたはＪＳＯＮをベースとすることを特徴とする先行する請求項の少なくとも一項に記載の装置。
【請求項１９】
前記転送インターフェースがＲＥＳＴアーキテクチャを有することを特徴とする先行する請求項の少なくとも一項に記載の装置。
【請求項２０】
前記転送インターフェース（２８）がｈｔｔｐｓを有する暗号化を実行することを特徴とする先行する請求項の少なくとも一項に記載の装置。
【請求項２１】
前記転送インターフェース（２８）が前記リモートサイト（３０）をユーザ／ユーザグループＩＤおよびＳＷトークンによって認証することを特徴とする先行する請求項の少なくとも一項に記載の装置。
【請求項２２】
前記リモートサイト（３０）が特定のデバイスのデータを問い合わせ、これが前記リモートサイト（３０）が認証されているユーザまたはユーザグループに前記リレーステーション（１３）の割り当て表（２０）で割り当てられると、データが伝達されることを特徴とする先行する請求項の少なくとも一項に記載の装置。
【請求項２３】
前記リモートサイト（３０）がデータを特定のシリアル番号なしで問い合わせ、前記リモートサイト（３０）が認証されているユーザまたはユーザグループが彼／彼らに前記リレーステーション（１３）の前記割り当て表（２０）で割り当てられた全デバイスのデータを取得することを特徴とする先行する請求項の少なくとも一項に記載の装置。
【請求項２４】
全ユーザ／ユーザグループのために前記リレーステーション（１３）で前記転送インターフェース（２８）に伝達される部分集合がデバイスデータに設定されることを特徴とする先行する請求項の少なくとも一項に記載の装置。
【請求項２５】
前記リレーステーション（１３）の前記メモリ（１９）の内容が変更される度にカウンタがインクリメントされ、前記リモートサイト（３０）が問い合わせると、現在のカウント状況も前記転送インターフェース（２８）を介して伝達されることを特徴とする先行する請求項の少なくとも一項に記載の装置。
【請求項２６】
ユーザが前記リレーステーション（１３）でデータを取得するためにリモートサイト（３０）を認可する限り、前記リモートサイト（３０）が多くのユーザ／ユーザグループのデータを問い合わせ、そのために前記リモートサイト（３０）および前記リレーステーション（１３）がデータの問い合わせ中に少なくとも１人のユーザの少なくとも１つのＩＤを伝達することを特徴とする先行する請求項の少なくとも一項に記載の装置。
【請求項２７】
前記リレーステーション（１３）の前記メモリ（１９）の内容が変更される度に、カウンタが変更され、前記リモートサイト（３０）がデータを問い合わせると、現在のカウント状況も前記転送インターフェース（２８）を介して伝達されることを特徴とする先行する請求項の少なくとも一項に記載の装置。
【請求項２８】
請求項１に記載の装置で使用される人工呼吸器（１）。
【請求項２９】
請求項１に記載の装置で使用されるリレーステーション（１３）。
【発明の詳細な説明】
【技術分野】
【０００１】
データ交換のために人工呼吸器はしばしばネットワークとのデータ交換のためのインターフェースを装備する。そのようなインターフェースは例えばＲＪ４５データインターフェースとして有線で実行され、または例えばＷＬＡＮ、モバイル通信、ＩｏＴ、Ｍ２ＭまたはＢｌｕｅｔｏｏｔｈ（登録商標）のインターフェースで無線で実行されることができる。
【背景技術】
【０００２】
そのようなデータインターフェースを介して多数のデータを交換することができる。例えば独国特許出願公開第１０ ２０１５ ００８ ９４６（Ａ１）号に説明されているように、人工呼吸器のソフトウェアはリモートデータへのアクセスによるアップデートにより更新されることができる。
【０００３】
さらに欧州特許出願公開第２  ３９２  ２５３（Ａ１）号に説明されているように、治療的または生理学的パラメータの設定、測定値または患者データのような治療データもリモートデバイス、例えば保存と第三者の利用を可能にするためにサーバに送ることができる。
【０００４】
しかし原則的に不正なデータ交換がインターフェースを介して行われる可能性がある。
【発明の概要】
【発明が解決しようとする課題】
【０００５】
本発明はデータ交換をより安全に形成する人工呼吸器を製造することを課題とする。
【課題を解決するための手段】
【０００６】
この課題の解決は本発明により請求項で定義された方法および／または請求項で定義された装置により実現される。
【発明の効果】
【０００７】
本発明はリレーステーションへのそれぞれ少なくとも１つのインターフェースおよびリレーステーションへのそれぞれ１つのデータチャンネルを有する多数の人工呼吸器を備えた人工呼吸器からのデータの伝達のための方法に関し、人工呼吸器の使用時間および／または治療の質を表すデータ用のデータチャンネルがデバイスからリレーステーションに単方向であることを特徴とし、データチャンネルは少なくとも２つの少なくとも部分的にデータ転送のための冗長技術を補助し、人工呼吸器のデータは暗号化され、暗号化されてリレーステーションに送信され、リレーステーションは人工呼吸器のデータを例えばプロセッサを使って解読し、人工呼吸器のおよび／またはリレーステーションの認証が、例えばリレーステーションが寄託されたコードまたはシリアル番号を認識することにより寄託されたコードまたは人工呼吸器のシリアル番号により行われ、リレーステーションで受信されたデータのメモリでの保存が少なくともデータを転送インターフェースで取得するために十分な時間内で行われ、リレーステーションで人工呼吸器および／またはそのデータの特定のユーザまたはユーザグループへの割り当てが行われることにより、データが特別にデバイスおよび／またはそのデータが割り当てられたユーザまたはユーザグループに転送のために提供され、リレーステーションが例えばウェブサーバ、ＥＲＰ−ＳＷを有するＰＣなどのリモートサイトへのデータの仲介のための転送インターフェースを備え、リレーステーションのデータは暗号化され、その後転送インターフェースを介してリモートサイトに伝達され、リモートサイトはデータを解読し、リモートサイトは伝達の前に認証され、認証によりデータまたはユーザまたはユーザグループは選択的に伝達され、（リモートサイトはコードまたはシリアル番号を寄託されたデータまたは暗号によって認識し）、伝達はリレーステーション（Ｐｕｓｈ）からまたはリモートサイト（Ｐｕｌｌ）から引き起こされることができる。
【０００８】
本発明はリレーステーションへのそれぞれ少なくとも１つのインターフェースおよびリレーステーションへのそれぞれ１つのデータチャンネルを有する多数の人工呼吸器を備えた人工呼吸器からのデータの伝達のための装置にも関し、人工呼吸器の使用時間および／または治療の質を表すデータ用のデータチャンネルがデバイスからリレーステーションに単方向であることを特徴とし、データチャンネルは少なくとも２つの少なくとも部分的にデータ転送のための冗長技術を補助し、人工呼吸器のデータは暗号化され、暗号化されてリレーステーションに送信され、リレーステーションは人工呼吸器のデータを例えばプロセッサを使って解読し、人工呼吸器のおよび／またはリレーステーションの認証が、例えばリレーステーションが寄託されたコードまたはシリアル番号を認識することにより寄託されたコードまたは人工呼吸器のシリアル番号により行われ、リレーステーションで受信されたデータのメモリでの保存が少なくともデータを転送インターフェースで取得するために十分な時間内で行われ、リレーステーションで人工呼吸器および／またはそのデータの特定のユーザまたはユーザグループへの割り当てが行われることにより、データが特別にデバイスおよび／またはそのデータが割り当てられたユーザまたはユーザグループに転送のために提供され、リレーステーションが例えばウェブサーバ、ＥＲＰ−ＳＷを有するＰＣなどのリモートサイトへのデータの仲介のための転送インターフェースを備え、リレーステーションのデータは暗号化され、その後転送インターフェースを介してリモートサイトに伝達され、リモートサイトはデータを解読し、リモートサイトは伝達の前に認証され、認証によりデータまたはユーザまたはユーザグループは選択的に伝達され、（リモートサイトはコードまたはシリアル番号を寄託されたデータまたは暗号によって認識し）、伝達はリレーステーション（Ｐｕｓｈ）からまたはリモートサイト（Ｐｕｌｌ）から引き起こされることができる。
【０００９】
可能な実施形態ではデバイス、リレーステーション、および／またはリモートサイトの認証のためのコードが証明として特に好ましくは時間的に限定された有効性とともに実行される。
【００１０】
本発明は、データ転送のための２つの少なくとも部分的な冗長技術が代替的または補完的に異なるメーカーのＲＦＩＤチップを有する２Ｇ、３Ｇ、４Ｇ、５Ｇモバイル通信、ＷＩＦＩ＋インターネット、Ｂｌｕｅｔｏｏｔｈ＋インターネット、メモリカード＋インターネット、Ｌｏｒａ、Ｓｉｇｆｏｘまたは他の機械から機械へのコミュニケーションのための通信規格であることをも特徴とする。
【００１１】
本発明は、リレーステーションが例えばウェブサーバ、ファイルサーバ、病院または医院のサーバ、携帯端末である現実のまたは仮想のコンピューターであることをも特徴とする。
【００１２】
本発明は、リレーステーションでデータの暗号化された中間保存がなされることをも特徴とする。
【００１３】
本発明は、リレーステーションが少なくとも例えばトークンの生成である転送インターフェースのためのコンフィギュレーションの可能性を持ったユーザアクセスを有することをも特徴とする。
【００１４】
本発明は、ユーザアクセスを介してデバイスのリモートサイトへの割り当てが設定されることをも特徴とする。
【００１５】
本発明は、ユーザアクセスを介してデバイスからのデータの加工、処理、評価、診断、保管または消去が行われることをも特徴とする。
【００１６】
本発明は、ユーザアクセスを介して例えば治療圧力および治療モードの選択、加湿設定および快適さ設定の調整などのデバイスのリモート設定が行われることをも特徴とする。
【００１７】
本発明は、ユーザアクセスを介してデバイスのリモートサービス、エラーメッセージの評価、遠隔からのＦＷ更新などが行われることをも特徴とする。
【００１８】
本発明は、ユーザアクセスを介して例えば２要素認証によってユーザ認証が行われることをも特徴とする。
【００１９】
本発明は、リレーステーションがデバイスに受信されたデータを転送インターフェースで取得した後にメモリから消去することをも特徴とする。
【００２０】
本発明は、リレーステーションがデバイスに受信されたデータをユーザまたはユーザグループにとって調節可能な一定期間後消去することをも特徴とする。
【００２１】
本発明は、リレーステーションが受信されたデータを例えば転送インターフェースを介して受信された消去コマンド後消去することをも特徴とする。
【００２２】
本発明は、リレーステーションが、例えばスマートフォンでのアンケートのような、例えば言語、ビデオまたは、携帯端末への患者のユーザ入力のための、患者へのデータチャンネルを備えることをも特徴とする。
【００２３】
本発明は、転送インターフェースがＨＴＴＰまたはＨＴＴＰＳをベースとしたインターネットのようなコンピューターネットワークを介してデータを交換し、離れたコンピューターの機能を呼び出すことをも特徴とする。
【００２４】
本発明は、転送インターフェースが、それを介して転送インターフェースが明確に同定可能である統一資源識別子（ＵＲＩ）を有し、並びに、例えばどのように転送インターフェースと対話をするかを定義するＷＳＤＬのようなＸＭＬアーティファクトとして機械で読み込むことが可能な形式のインターフェースの説明を有することをも特徴とする。
【００２５】
本発明は、転送インターフェースとのコミュニケーションがＨＴＴＰのようなインターネット文脈からのプロトコルを介して行われ、ＸＭＬまたはＪＳＯＮをベースとすることをも特徴とする。
【００２６】
本発明は、転送インターフェースがＲＥＳＴアーキテクチャを有することをも特徴とする。
【００２７】
本発明は、転送インターフェースがｈｔｔｐｓを有する暗号化を実行することをも特徴とする。
【００２８】
本発明は、転送インターフェースが例えばウェブＡＰＩを介してリレーステーションと    リモートサイトを直接互いに接続することをも特徴とする。例えば（Ｓ）ＦＴＰ−サーバに上げられたデータの形式のクリップボードは必要ない。これは第三者による不正アクセスの危険を削減し、データ転送の直接の成果コントロールを可能にする。
【００２９】
本発明は、転送インターフェースがリモートサイトをユーザ／ユーザグループＩＤおよびＳＷトークンによって認証することをも特徴とする。本発明は、リモートサイトが特定のデバイスのデータを例えば同定しシリアル番号を介して問い合わせることができることをも特徴とする。これがリモートサイトが認証されているユーザまたはユーザグループにリレーステーションの割り当て表で割り当てられるとデータが伝達される。
【００３０】
本発明は、リモートサイトがデータを特定のシリアル番号なしで問い合わせ、その後リモートサイトが認証されているユーザまたはユーザグループが彼／彼らにリレーステーションの割り当て表で割り当てられた全デバイスのデータを受け取ることをも特徴とする。それによって、ユーザまたはユーザグループがリレーステーションに登録した全デバイスのデータも転送されることが保証される。患者への割り当ては好ましくはリモートサイトで行われる。
【００３１】
本発明は、全ユーザ／ユーザグループのためにリレーステーションで例えばユーザデータのみ、リーク、ＡＨＩのみのような、転送インターフェースに伝達されるべき部分集合がデバイスデータに設定されることができることをも特徴とする。この設定は好ましくはリレーステーションの少なくとも１つのアドミニストレータにより、または代替的にリモートサイトの異なる問い合わせコマンドによって行われる。
【００３２】
本発明は、リレーステーションのメモリ内容が変更される度に、例えば治療デバイスにデータ記録が受信される度に、カウンタがインクリメントされることをも特徴とする。リモートサイトがデータを問い合わせると、それに現在のカウント状況も転送インターフェースを介して伝達される。次の問い合わせの際、リモートサイトは合目的的に最後にそれに伝達されたカウント状況以降の新しいデータを問い合わせることができる。そのようにして伝達されたデータ量は新しく取り入れられたデータに制限される。同時にリレーステーションはステートレスに留まり、これがどのデータ記録を最後に受信したかを、全ての個々のリモートサイトのために保存する必要なく、その転送インターフェースに多くのリモートサイトから問い合わせることができる。
【００３３】
本発明は、インターフェース、ネットワーク、データメモリまたはデータ処理の過負担を防止するため、リモートサイトによる新しいデータの問い合わせの際、伝達されたデータ記録のそれぞれの数量が上限によって限定されることができることをも特徴とする。
【００３４】
本発明は、ユーザがリレーステーションでデータを取得するためにリモートサイトを認可する限り、リモートサイトが唯一のトークンで多くのユーザ／ユーザグループのデータを問い合わせることができることをも特徴とする。そのためにリモートサイトおよびリレーステーションはデータの問い合わせ中に少なくとも１人のユーザの少なくとも１つのＩＤを伝達する。リレーステーションはリモートサイトがこのユーザのデータの問い合わせのための権限があるかどうかを検査し、権限がある場合、データをこの利用者のデバイスから伝達する。代替的にリレーステーションはリモートサイトがそのデータの問い合わせに権限を与えた全ユーザの全デバイスのデータを伝達し、全データ記録の属性としてデバイスを割り当てられた少なくとも１人のユーザのＩＤを補完し、それによってリモートサイトがこのユーザのみに該当するデータ記録を提供する。
【００３５】
本発明は本発明の装置／方法で使用する人工呼吸器にも関する。
【００３６】
本発明は本発明の装置／方法で使用するリレーステーションにも関する。
【００３７】
本発明は実質的にＡＰＡＰ装置、バイレベル装置、サーボ換気装置、在宅用呼吸器および集中呼吸器並びに緊急呼吸機器のような人工呼吸器に関する。本発明は使用期間および治療の質を算出し保存する人工呼吸器に関する。
【００３８】
治療の質は例えば一定の時間単位内での中枢性、閉塞性および混合性無呼吸の数を考慮して特定されることができる。
【００３９】
治療の質は特定の時間単位内の中枢性、閉塞性および混合性呼吸低下またはＲＥＲＡＳまたはいびきエポックまたはＳｐＯ２の不飽和化を考慮しても特定されることができる。
【００４０】
治療の質は特定の時間単位内のチェーンストークス呼吸の期間および強度を考慮しても決定されることができる。
【００４１】
治療の質は、呼吸（時間）容積の減少および／またはピーク流量の減少および／またはＣＯ２増加および／または酸素飽和度低下によって測定される、長期間の低換気の期間および強度を考慮しても決定されることができる。
【００４２】
治療の質は、例えば多くのリークや断線の発生、人工呼吸器と患者間のシンクロニシティの欠如の発生、または警報が発生する状況あるいは技術的エラーなどの望ましくない状況の発生および期間を考慮しても決定されることができる。
【００４３】
治療の質はまずデバイスの内部データメモリに保存され、続いてリレーステーションに転送される。
【００４４】
患者による人工呼吸器の使用期間は例えば治療が少なくとも定義された時間に行われた日および／または夜の数を考慮して決定されることができる。
【００４５】
人工呼吸器の使用期間は、その間に治療が行われた１日を期間として決定することもできる。
【００４６】
人工呼吸器の使用期間は、治療が少なくとも定義された時間に行われた日および／または夜の数の割合として決定されることもできる。
【００４７】
人工呼吸器の使用期間は、暦日および／または夜毎の平均治療時間としてまたは人工呼吸器のスイッチが入っていた時間内の期間として決定されることもできる。
【００４８】
そのとき、スイッチが入っているときのどの期間が治療期間に受け入れられるか、例えば特定の閾値以下のマスクからのリークまたは呼吸の検出または呼気加湿器の使用など、特定の条件が定義付けられなければならない。
【００４９】
使用期間はまずデバイスの内部データメモリの中に保管され、続いてリレーステーションに転送される。
【００５０】
人工呼吸器のメンテナンス／機能は例えば少なくとも１つの空気フィルター、管、患者インターフェースの洗浄および／または交換のための間隔の遵守を考慮して決定されることができる。
【００５１】
人工呼吸器のメンテナンス／機能は例えば認識され、保存された人工呼吸器のエラー状況を考慮して決定されることができる。
【００５２】
人工呼吸器のメンテナンス／機能は例えば少なくとも１つのデバイスソフトウェアまたは少なくとも１つのデバイスエレクトロニクスのバージョン水準を考慮して決定されることができる。
【００５３】
人工呼吸器のメンテナンス／機能は例えばシリアル番号、メーカーＩＤ、ＵＩＤ、ネットワーク参加者番号およびデバイスタイプのマークを考慮して決定されることができる。
【００５４】
人工呼吸器のメンテナンス／機能は例えば現在の治療モードおよび、例えば圧力および周波数の設定のような現在の治療設定、例えば言語、日付、時間などの現在のデバイス設定、または例えば加湿器の段階、初期減圧または自動始動のような現在のコンフィグレイション設定を考慮して決定されることができる。
【００５５】
メンテナンス／機能はまずデバイスの内部データメモリに保存され、続いてリレーステーションに転送される。
【図面の簡単な説明】
【００５６】
【図１】本発明の人工呼吸器（１）の基本的構造を示す図である。
【図２】本発明のリレーステーション（１３）へのそれぞれ少なくとも１つのインターフェース（８、１８）およびリレーステーションへのそれぞれ１つのデータチャンネル（１４）を有する多数の人工呼吸器（１）を有する装置を示す図である。
【図３】本発明のリレーステーション（１３）への少なくとも１つのインターフェース（８、１８）およびリレーステーションへのそれぞれ１つのデータチャンネル（１４）を有する１つの人工呼吸器（１）を有する装置を示す図である。
【図４】本発明の異なるユーザグループに束ねられた多くの人工呼吸器（１）を有する装置を示す図である。
【発明を実施するための形態】
【００５７】
図１は人工呼吸器（１）の基本的構造を示す。コントロールパネル（２）並びにディスプレイ（３）を有するデバイスハウジングの領域内のデバイス内部空間に呼吸ガスポンプが配置される。カップリング（４）を介して接続管（５）が連結される。接続管（５）に沿って圧力入り口接続部（７）を介してデバイスハウジングと接続可能な付加的な圧力測定管（６）が延在しうる。データ伝達実現のためにデバイスハウジング（１）は少なくとも１つのインターフェース（８、１８）を有する。加湿器を適合することができる。
【００５８】
デバイスハウジング（１）と反対側の接続管（５）の拡張部に呼気部材（９）が配置される。同様に呼気弁が使用されることができる。
【００５９】
このように図１は呼吸マスク（１０）として形成された、ここでは例として鼻マスクとして実現された患者インターフェースを示す。患者の頭部領域での固定はフード（１１）によって行われる。その接続管（５）に向けられた拡張部で患者インターフェース（１０）はカップリング部材（１２）を有する。
【００６０】
インターフェース（８、１８）を介して例えばデッドスペース体積のような、データの入力および／または出力が行われる。インターフェースは有線で赤外線インターフェースとして、Ｂｌｕｅｔｏｏｔｈインターフェース、モバイル通信インターフェース、ＩｏＴあるいはＭ２Ｍインターフェース、またはＵＳＢとして実現することができる。
【００６１】
本発明の人工呼吸器（１）は、呼吸を提供するために管および患者インターフェースを介して患者と接続されることができるように設計されている。これは例えば送風機輪を有する電気モーターとして形成された呼吸ガス源および呼吸ガスの圧力および／または流れおよび／または容量の検出のための装置、並びに患者のために予め定められた値に基づいた全呼吸周期のために、および／または圧力および／または流れおよび／または容量のパラメータのための測量信号に基づき呼吸ガス圧力を決定し、呼吸ガス圧力が生成されるように呼吸ガス源を調整するように設計された制御ユニットを含む。
【００６２】
人工呼吸器は使用期間および治療の質および補完的にデバイスの機能／メンテナンスを表すデータの保存のためのメモリ（３１）を有する。
【００６３】
制御ユニットはさらに、それが現在の呼吸ガスの圧力および／または流れおよび／または容量を決定し、制御ユニットと接続したディスプレイを介して現在値を表示するように設計されている。制御ユニットはその他、それが１つまたは複数のパラメータに関連してその経時的な計算の傾向の変化を決定し、傾向の変化はディスプレイに表示されることができるように設計されている。
【００６４】
モデムまたは他のインターフェース（１８）を介して同様に記録されたデータが伝達されることができる。
【００６５】
図２はリレーステーション（１３）へのそれぞれ少なくとも１つのインターフェース（８、１８）およびリレーステーションへのそれぞれ１つのデータチャンネル（１４）を有する多数の人工呼吸器（１）を有する装置を示し、データチャンネル（１４）は少なくとも使用時間または治療の質を表す人工呼吸器のデータ用にデバイス（１）からリレーステーション（１３）に単方向である。データチャンネル（１４）は少なくとも２つの少なくとも部分的にデータ転送のための冗長技術（１５）を補助し、データチャンネルの暗号化（１６）が行われ、人工呼吸器（１）およびリレーステーション（１３）の認証（１７）が行われる。リレーステーション（１３）では受信されたデータの保存がメモリ（１９）で少なくとも転送インターフェース（２８）でのデータ取得に十分な期間内に行われる。リレーステーションではそのために人工呼吸器および／またはそのデータの特定のユーザまたはユーザグループへの割り当て（２０）が行われるため、データは特別にデバイスおよび／またはそのデータが割り当てられたユーザまたはユーザグループ用に転送のために提供される。
【００６６】
リレーステーション（１３）はデータをリモートサイト（３０）（例えばウェブサーバ、ＥＲＰ−ＳＷ付きＰＣなど）に伝達するための転送インターフェース（２８）を有し、リレーステーション（１３）からのデータは暗号化（２１）され、その後転送インターフェース（２８）を介してリモートサイト（３０）に伝達される。リモートサイト（３０）は伝達の前に認証（２２）され、認証によってデータが（ユーザまたはユーザグループに）選択的に伝達され、リレーステーション（Ｐｕｓｈ）からの、またはリモートサイト（Ｐｕｌｌ、問い合わせ）からの伝達は消去されることができる。
【００６７】
装置は例えばコンピューターネットワーク、バーチャル・プライベート・ネットワーク（ＶＰＮ）、イントラネット、エクストラネットまたはインターネットである有線または無線のテレコミュニケーションネットワークである。
【００６８】
リレーステーション（１３）はプログラム（４０）の実行のための少なくとも１つの現実のまたは仮想のプロセッサ（２６）並びに１つのデータキーを保存および／または生成するためのコンポーネントを有する。
【００６９】
人工呼吸器（１）のデータ（３２）の保存のために例えば次のような措置が取られる。
【００７０】
データキー（３４）を使ってデータ（３２）が暗号化され、人工呼吸器からインターフェース（１８）およびデータライン（１４）を介してリレーステーション（１３）に送信される。リレーステーション（１３）は暗号化されたデータを空いたメモリ領域に保存する。
【００７１】
好ましくは暗号化されたデータの保存は人工呼吸器のインデックスＩＤおよび／またはユーザデータによって行われる。人工呼吸器のインデックスＩＤはシリアル番号でありうる。ユーザデータは患者ＩＤまたは介護者ＩＤでありうる。
【００７２】
リモートサイト（３０）は特定のデバイスのデータを（例えばシリアル番号を介して同定して）問い合わせることができる。これがリモートサイト（３０）が認証されているユーザまたはユーザグループにリレーステーション（１３）の割り当て表（２０）で割り当てられると、データが伝達される。
【００７３】
代替的にリモートサイト（３０）がデータを特定のシリアル番号なしで問い合わせることができ、その後リモートサイト（３０）が認証されているユーザまたはユーザグループは彼／彼らにリレーステーション（１３）の割り当て表（２０）で割り当てられた全デバイスのデータを取得する。これによってユーザまたはユーザグループがリレーステーション（１３）に登録した全デバイス（１）のデータが転送されることも保証される。患者への割り当ては好ましくはリモートサイト（３０）で行われる。
【００７４】
全ユーザまたはユーザグループのためにリレーステーション（１３）で、例えばリークのみ、ＡＨＩのみのような、転送インターフェース（２８）に伝達されるべきデバイスデータの部分集合が設定されることができる。…これらの設定は好ましくはリレーステーション（１３）の少なくとも１つのアドミニストレータにより、または代替的にリモートサイト（３０）からの異なる問い合わせコマンドによって行われる。
【００７５】
ＳｙｎｃＩＤ： リレーステーション（１３）のメモリ（１９）の内容が変更される度に、例えば治療器にデータ記録が受信される度に、カウンタがインクリメントされる。リモートサイト（３０）がデータを問い合わせると、それに現在のカウント状況が転送インターフェース（２８）を介して伝達される。次の問い合わせの際、リモートサイト（３０）は合目的的に最後にそれに伝達されたカウント状況以降の新しいデータを問い合わせることができる。このようにして伝達されたデータ量は新しく取り入れられたデータに制限される。同時にリレーステーション（１３）はステートレスに留まり、これがどのデータ記録を最後に受信したかを、全ての個々のリモートサイト（３０）のために保存する必要なく、その転送インターフェース（２８）に多くのリモートサイト（３０）から問い合わせることができる。
【００７６】
ユーザがリレーステーション（１３）でデータを取得するためにリモートサイト（３０）を認可する限り、リモートサイト（３０）は（唯一のトークンによって）多くのユーザ／ユーザグループのデータを問い合わせることができる。そのためにリモートサイト（３０）およびリレーステーション（１３）はデータの問い合わせ中に少なくとも１人のユーザの少なくとも１つのＩＤを伝達する。リレーステーション（１３）はリモートサイト（３０）にこのユーザのデータの問い合わせのための権限があるかどうかを審査し、権限がある場合、データをこの利用者のデバイスから伝達する。代替的にリレーステーションはリモートサイト（３０）がそのデータの問い合わせに権限を与えた全ユーザの全デバイスのデータを伝達し、全データ記録の属性としてデバイスを割り当てられた少なくとも１人のユーザのＩＤを補完し、それによってリモートサイト（３０）がこのユーザのみに該当するデータ記録を提供する。
【００７７】
図３はリレーステーション（１３）への少なくとも１つのインターフェース（８、１８）およびリレーステーションへのそれぞれ１つのデータチャンネル（１４）を有する１つの人工呼吸器（１）を有する装置を示し、データチャンネル（１４）は少なくとも使用時間または治療の質を表す人工呼吸器のデータ用にデバイス（１）からリレーステーション（１３）に単方向である。データチャンネル（１４）は少なくとも２つの少なくとも部分的にデータ転送のための冗長技術（１５）を補助し、データチャンネルの暗号化（１６）が行われ、人工呼吸器（１）およびリレーステーション（１３）の認証（１７）が行われる。リレーステーション（１３）では受信されたデータの保存がメモリ（１９）で少なくとも転送インターフェース（２８）でのデータ取得に十分な期間内に行われる。リレーステーションではそのために人工呼吸器および／またはそのデータの特定のユーザまたはユーザグループへの割り当て（２０）が行われるため、データは特別にデバイスおよび／またはそのデータが割り当てられたユーザまたはユーザグループ用に転送のために提供される。
【００７８】
リレーステーション（１３）はデータをリモートサイト（３０）（例えばウェブサーバ、ＥＲＰ−ＳＷ付きＰＣなど）に伝達するための転送インターフェース（２８）を有し、リレーステーション（１３）のデータは暗号化（２１）され、その後転送インターフェース（２８）を介してリモートサイト（３０）に伝達される。リモートサイト（３０）は伝達の前に認証（２２）され、認証によってデータが（ユーザまたはユーザグループに）選択的に伝達され、リレーステーション（Ｐｕｓｈ）からの、またはリモートサイト（Ｐｕｌｌ、問い合わせ）からの伝達は消去されることができる。
【００７９】
人工呼吸器は例えばＳＤカードの挿入により認証されユーザグループに割り当てられる。認証は例えば人工呼吸器と接続されたモデムを介してリレーステーション（１３）で行われる。リレーステーション（１３）は人工呼吸器あるいは認証のデータをリモートサイト（３０）に転送する。
【００８０】
図４は異なるユーザグループに束ねられた多くの人工呼吸器（１）を有する装置を示す。人工呼吸器はデータを１つの（または複数の）リレーステーション（１３）に伝達する。リレーステーション（１３）はユーザ固有の（メモリ）領域を有する。リレーステーション（１３）でメモリ（１９）で受信されたデータの保存が少なくともデータを転送インターフェース（２８）で取得するために十分な時間内に行われる。リレーステーションではそのために人工呼吸器および／またはそのデータの特定のユーザまたはユーザグループへの割り当て（２０）が行われるため、データは特別にデバイスおよび／またはそのデータが割り当てられたユーザまたはユーザグループ用に転送のために提供される。
【００８１】
リレーステーション（１３）はデータを（例えばウェブサーバ、ＥＲＰ−ＳＷを有するＰＣなどの）リモートサイト（３０）に伝達するための転送インターフェース（２８）を有し、リレーステーション（１３）のデータは暗号化され（２１）、その後転送インターフェース（２８）を介してリモートサイト（３０）に伝達される。リモートサイト（３０）は伝達の前に認証され（２２）、認証によってデータが（ユーザまたはユーザグループに）選択的に伝達され、リレーステーション（Ｐｕｓｈ）からの、またはリモートサイト（Ｐｕｌｌ、問い合わせ）からの伝達は消去されることができる。リモートサイトは物理的に分離したリモートサイトでありうる。データのみをユーザまたはユーザグループに固有に管理するリモートサイト（３０）も企図されてよい。
【００８２】
人工呼吸器は例えばＳＤカードの挿入により認証されユーザグループに割り当てられる。認証は例えば人工呼吸器と接続されたモデムを介してリレーステーション（１３）で行われる。リレーステーション（１３）は人工呼吸器あるいは認証のデータをリモートサイト（３０）に転送する。
【００８３】
それぞれのユーザグループのアドミニストレータは固有のユーザグループ・アカウントを介してリレーステーションにアクセスし、例えばリレーステーションの設定を行い、またはデータを問い合わせる。
【図１】
2018158100.tif 000003
【図２】
2018158100.tif 000004
【図３】
2018158100.tif 000005
【図４】
2018158100.tif 000006
【外国語明細書】
2018158100000001.pdf